(57)【要約】【課題】フラットケーブルの巻き層の最外層が径方向に拡がろうとするのを阻害せず、且つフラットケーブルの巻き層の最外層から繰り出される巻終り端側が筐体の内壁に接触する長さを短くすることができるフラットケーブル巻取り器を得る。【解決手段】フラットケーブル３の巻終り端３ｂ側が筐体１の外に出ていて巻初め端３ａ側が巻終り端３ｂ側の移動に追従して巻取りや巻戻しができるように筐体１内の巻き芯２の外周に渦巻状に巻いて筐体１内に収容する。筐体１内に形成しているフラットケーブル３の巻き層の最外層３ｃから繰り出した巻終り端３ｂ側が筐体１のケーブル入出口５近傍で筐体１の内壁に最初に接触する接点Ｐより手前の位置の筐体１にフラットケーブル３の最外層３ｃの広がり空間８を設ける。【選択図】  図１
2004274836.tif 000002
【特許請求の範囲】
【請求項１】
フラットケーブルの巻終り端側が筐体の外に出ていて巻初め端側が該巻終り端側の移動に追従して巻取りや巻戻しができるように該筐体内の巻き芯の外周に渦巻状に巻かれて該筐体内に収容されているフラットケーブル巻取り器において、
前記筐体内に形成されている前記フラットケーブルの巻き層の最外層から繰り出された巻終り端側が前記筐体のケーブル入出口近傍で該筐体の内壁に最初に接触する接点より手前の位置の前記筐体に前記フラットケーブルの最外層の広がり空間が設けられていることを特徴とするフラットケーブル巻取り器。
【請求項２】
前記広がり空間はほぼ四角形の前記筐体の１つのコーナ部で形成されていることを特徴とする請求項１に記載のフラットケーブル巻取り器。
【請求項３】
前記広がり空間はほぼ円形の前記筐体により形成されていることを特徴とする請求項１に記載のフラットケーブル巻取り器。
【請求項４】
前記広がり空間はほぼ四角形の前記筐体の１つ側面を外側に円弧状に突出させて形成されていることを特徴とする請求項１に記載のフラットケーブル巻取り器。
【発明の詳細な説明】
【０００１】
【発明の属する技術分野】
本発明は、電気機器のカバーや自動車のドアーのような移動体の移動に追従してフラットケーブルが巻取りや巻戻しができるフラットケーブル巻取り器に関するものである。
【０００２】
【従来の技術】
電気機器や自動車の電気配線にフラットケーブルが用いられるようになってきている。フラットケーブルは、平行に並設された銅やアルミニュウム等の帯状導体よりなるフラット導体にポリエチレンテレフタレートの如きプラッスチック等よりなるフラット絶縁被覆が一括被覆された構造になっている。
【０００３】
従来のフラットケーブル巻取り器は、図４に示すように、筐体１が半割り体１ａ，１ｂに分割されていて、下側の半割り体１ａ内の中心に巻き芯２が上向きに突設され、この巻き芯２にフラットケーブル３の巻始め端３ａ側の一部を固定して該巻始め端３ａ側を半割り体１ａの中心の長孔４から外に出し、フラットケーブル３の巻始め端３ａ側につながる部分と、基端を巻き芯２に固定した板バネ９とを巻き芯２の外周に渦巻状に巻いて、フラットケーブル３の巻終り端３ｂ側を筐体１の側壁のケーブル入出口５から外に出し、半割り体１ａの上に半割り体１ｂを被せ、半割り体１ｂの中心の孔６からネジ７を通して巻き芯２に螺合することにより半割り体１ａ，１ｂを連結して筐体１を構成した構造になっている（例えば、特許文献１参照。）。
【０００４】
このようなフラットケーブル巻取り器では、フラットケーブル３の渦巻き状の巻取りは、図５に示すように、該フラットケーブル３の渦巻き状の各巻き層が板バネ９の弾性と該フラットケーブル３自身の弾性とで径方向Ａに拡がり、これにより渦巻き状のフラットケーブル３の各巻き層の周長が長くなり、これによりフラットケーブル３を引き込むＢ方向の力が発生し、ケーブル入出口５からフラットケーブル３がＣ方向に引き込まれ、結果としてフラットケーブル３の巻取りが行われる。
【０００５】
かかるフラットケーブル巻取り器によれば、フラットケーブル３の巻終り端３ｂ側を支持する移動体の移動につれてフラットケーブル３が巻取られ、巻戻されても、電気的接続状態が維持されることになる。
【０００６】
【特許文献１】
特開２００１−１２８３５０号公報
【０００７】
【発明が解決しようとする課題】
しかしながら、前述したような従来のフラットケーブル巻取り器では、フラットケーブル３の巻き層の最外層から繰り出された巻終り端３ｂ側が筐体１のケーブル入出口５近傍で該筐体１の内壁にかなりの長さで接触して外に出るので、フラットケーブル３の巻き層の最外層が径方向に拡がろうとするのを筐体１が阻害し、またフラットケーブル３の巻き層の最外層がかなりの長さで筐体１に接触することによる機械的な接触抵抗が大きくなり、巻き芯２の外周に対するフラットケーブル３の巻取り時に、巻取りが途中で止まってしまって、フラットケーブル３の巻取りが未完成になるおそれがあった。
【０００８】
本発明の目的は、フラットケーブルの巻き層の最外層が径方向に拡がろうとするのを阻害せず、且つフラットケーブルの巻き層の最外層から繰り出される巻終り端側が筐体の内壁に接触する長さを短くすることができるフラットケーブル巻取り器を提供することにある。
【０００９】
【課題を解決するための手段】
本発明は、フラットケーブルの巻終り端側が筐体の外に出ていて巻初め端側が巻終り端側の移動に追従して巻取りや巻戻しができるように該筐体内の巻き芯の外周に渦巻状に巻かれて該筐体内に収容されているフラットケーブル巻取り器を対象とする。
【００１０】
本発明に係るフラットケーブル巻取り器では、筐体内に形成されているフラットケーブルの巻き層の最外層から繰り出された巻終り端側が筐体のケーブル入出口近傍で該筐体の内壁に最初に接触する接点より手前の位置の筐体にフラットケーブルの最外層の広がり空間が設けられていることを特徴とする。
【００１１】
このように筐体内に形成されているフラットケーブルの巻き層の最外層から繰り出された巻終り端側が筐体のケーブル入出口近傍で該筐体の内壁に最初に接触する接点より手前の位置の筐体にフラットケーブルの最外層の広がり空間が設けられていると、このフラットケーブルの最外層の広がり空間によりフラットケーブルの巻き層の最外層が径方向に拡がろうとするのを阻害しなくなり、フラットケーブルを筐体内に引き込む力を従来より強めることができる。また、このフラットケーブルの最外層の広がり空間の存在により、フラットケーブルの巻き層の最外層から繰り出された巻終り端側が筐体の内壁に接触する長さが短くなり、接触抵抗が減少し、フラットケーブルの巻取りが途中で止まるような事態の発生を防止でき、安定したフラットケーブルの巻取りを行うことができる。
【００１２】
この場合、広がり空間は、ほぼ四角形の筐体の１つのコーナ部で形成されていても、ほぼ円形の筐体により形成されていても、ほぼ四角形の筐体の１つ側面を外側に円弧状に突出させて形成されていても、いずれでもよい。
【００１３】
【発明の実施の形態】
図１は本発明に係るフラットケーブル巻取り器の実施の形態の第１例を示した横断面図である。なお、前述した図４と対応する部分には、同一符号を付けて示している。
【００１４】
本例のフラットケーブル巻取り器では、筐体１として四角形のものが使用されている。この筐体１内に形成されているフラットケーブル３の渦巻き状の巻き層の最外層３ｃから繰り出された巻終り端３ｂ側が筐体１のケーブル入出口５の近傍で該筐体１の内壁に最初に接触する接点Ｐより手前の位置の筐体１にフラットケーブル３の最外層３ｃの広がり空間８が設けられている。本例では、この広がり空間８が、四角形の筐体１の１つのコーナ部１ｃによって、その内側に形成されている。ケーブル入出口５は、四角形の筐体１の隣接するコーナ部１ｃの中間に形成されている。フラットケーブル３の巻終り端３ｂは例えば電気機器のカバーや自動車のドアーのような移動体に接続され、巻初め端３ａを有する筐体１は、電気機器の本体側や自動車の本体側に支持されている。
【００１５】
かかる構成のフラットケーブル巻取り器では、フラットケーブル３の渦巻き状の巻取りは、該フラットケーブル３の渦巻き状の各巻き層が該フラットケーブル３自身の弾性で径方向Ａに拡がり、これにより渦巻き状の各巻き層の周長が長くなり、これによりフラットケーブル３を引き込むＢ方向の力が発生し、ケーブル入出口５からフラットケーブル３がＣ方向に引き込まれ、結果としてフラットケーブル３の巻取りが行われる。このような構造のフラットケーブル巻取り器では、実線で示すようにフラットケーブル３を巻取ったときのターン数と、破線で示すように巻戻したときのターン数が同じである。
【００１６】
このように、フラットケーブル３の巻き層の最外層３ｃから繰り出された巻終り端３ｂ側が筐体１のケーブル入出口近傍５で該筐体１の内壁に最初に接触する接点Ｐより手前の位置の筐体１にフラットケーブル３の最外層３ｃの広がり空間８が設けられていると、このフラットケーブル３の最外層３ｃの広がり空間８によりフラットケーブル３の巻き層の最外層３ｃが径方向に拡がろうとするのを阻害しなくなり、フラットケーブル３を筐体１内に引き込む力を従来より強めることができる。また、このフラットケーブル３の最外層３ｃの広がり空間８の存在により、フラットケーブル３の巻き層の最外層３ｃから繰り出された巻終り端３ｂ側が筐体１の内壁に接触する長さが短くなり、接触抵抗が減少し、フラットケーブル３の巻取りが途中で止まるような事態の発生を防止でき、安定したフラットケーブル３の巻取りを行うことができる。
【００１７】
また、四角形の筐体１によれば、広がり空間８の形成をそのコーナ部１ｃを利用することにより容易に行うことができる。
【００１８】
図２は本発明に係るフラットケーブル巻取り器の実施の形態の第２例を示した横断面図である。なお、前述した図１と対応する部分には、同一符号を付けて示している。
【００１９】
本例のフラットケーブル巻取り器では、筐体１として断面がほぼ円形のものが使用されている。この筐体１内に形成されているフラットケーブル３の渦巻き状の巻き層の最外層３ｃから繰り出された巻終り端３ｂ側が筐体１のケーブル入出口５の近傍で該筐体１の内壁に最初に接触する接点Ｐより手前の位置の筐体１にフラットケーブル３の最外層３ｃの広がり空間８が設けられている。本例では、この広がり空間８が、ほぼ円形の筐体１によって、その内側に形成されている。
【００２０】
このような構造でも、第１例と同様の効果を得ることができる。また、ほぼ円形の筐体１によれば、広がり空間８の形成をその円形の形状を利用することにより容易に行うことができる。
【００２１】
図３は本発明に係るフラットケーブル巻取り器の実施の形態の第３例を示した横断面図である。なお、前述した図１と対応する部分には、同一符号を付けて示している。
【００２２】
本例のフラットケーブル巻取り器では、筐体１として断面がほぼ四角形のものが使用されている。この筐体１内に形成されているフラットケーブル３の渦巻き状の巻き層の最外層３ｃから繰り出された巻終り端３ｂ側が筐体１のケーブル入出口５の近傍で該筐体１の内壁に最初に接触する接点Ｐより手前の位置の筐体１にフラットケーブル３の最外層３ｃの広がり空間８が設けられている。本例では、この広がり空間８が、ほぼ四角形の筐体の１つ側面１ｄを外側に円弧状に突出させて、その内側に形成されている。
【００２３】
このような構造でも、第１例と同様の効果を得ることができる。また、ほぼ四角形の筐体１によれば、広がり空間８の形成をその１つ側面１ｄを外側に円弧状に突出させることにより容易に行うことができる。
【００２４】
上記例では、フラットケーブル３自体の弾性を利用して渦巻状に巻取る構成について説明したが、本発明はこれに限定されるものではなく、巻き芯２側にフラットケーブル３を巻取る板バネ等を介在させるタイプのフラットケーブル巻取り器にも本発明は適用することができる。このようなタイプでも、安価なバネを用い、且つ本発明の構造を採用することにより、巻取り性能が一層向上したフラットケーブル巻取り器を提供することができる。この場合、巻き芯２は本例のように回転しないタイプでも、巻き芯２が回転するタイプでもいずれでもよい。
【００２５】
【発明の効果】
本発明に係るフラットケーブル巻取り器では、筐体内に形成されているフラットケーブルの巻き層の最外層から繰り出された巻終り端側が筐体のケーブル入出口近傍で該筐体の内壁に最初に接触する接点より手前の位置の筐体にフラットケーブルの最外層の広がり空間が設けられているので、このフラットケーブルの最外層の広がり空間によりフラットケーブルの巻き層の最外層が径方向に拡がろうとするのを阻害しなくなり、フラットケーブルを筐体内に引き込む力を従来より強めることができる。また、このフラットケーブルの最外層の広がり空間の存在により、フラットケーブルの巻き層の最外層から繰り出された巻終り端側が筐体の内壁に接触する長さが短くなり、接触抵抗が減少し、フラットケーブルの巻取りが途中で止まるような事態の発生を防止でき、安定したフラットケーブルの巻取りを行うことができる。
【図面の簡単な説明】
【図１】本発明に係るフラットケーブル巻取り器の実施の形態の第１例を示した横断面図である。
【図２】本発明に係るフラットケーブル巻取り器の実施の形態の第２例を示した横断面図である。
【図３】本発明に係るフラットケーブル巻取り器の実施の形態の第３例を示した横断面図である。
【図４】従来のフラットケーブル巻取り器の組立て過程の斜視図である。
【図５】従来のフラットケーブル巻取り器の巻取り動作の説明図である。
【符号の説明】
１  筐体
１ａ，１ｂ  半割り体
１ｃ  コーナ部
１ｄ  側面
２  巻き芯
３  フラットケーブル
３ａ  巻始め端
３ｂ  巻終り端
３ｃ  最外層
４  長孔
５  ケーブル入出口
６  孔
７  ネジ
８  広がり空間
９  板バネ
【図１】
2004274836.tif 000003
【図２】
2004274836.tif 000004
【図３】
2004274836.tif 000005
【図４】
2004274836.tif 000006
【図５】
2004274836.tif 000007